(57)【要約】【課題】外部機器の配置の自由度を向上できる表示装置を提供する。【解決手段】表示装置１０は、表示部２０と、検出部３０と、記憶部４０と、制御部５０とを備える。表示部２０は、表示面２２を有する。検出部３０は、表示面２２に対する外部機器１１０の接触を検出する。記憶部４０は、予め登録された登録外部機器１１２のうち表示面２２へ接触している接触点を示す登録接触パターン１２０を記憶する。制御部５０は、表示部２０と、検出部３０と、記憶部４０とを制御する。表示面２２に外部機器１１４が載置されたことを検出部が検出した際、制御部５０は、検出部３０が検出した外部機器１１４のうち表示面２２へ接触している接触点を示す検出接触パターン１４０と、登録接触パターン１２０とに基づいて、表示面２２への接触の検出を無効にする接触無効領域１６０を検出部３０に設定する。【選択図】図１
2019016036.tif 000002
【特許請求の範囲】
【請求項１】
表示面を有する表示部と、
前記表示面に対する外部機器の接触を検出する検出部と、
予め登録された登録外部機器のうち前記表示面へ接触している接触点を示す登録接触パターンを記憶する記憶部と、
前記表示部と、前記検出部と、前記記憶部とを制御する制御部と
を備え、
前記表示面に前記外部機器が載置されたことを前記検出部が検出した際、前記制御部は、前記検出部が検出した外部機器のうち前記表示面へ接触している接触点を示す検出接触パターンと、前記登録接触パターンとに基づいて、前記表示面への接触の検出を無効にする接触無効領域を前記検出部に設定する、表示装置。
【請求項２】
前記接触点は、少なくとも３つ以上である、請求項１に記載の表示装置。
【請求項３】
前記登録外部機器は、複数の頂点を有し、
前記記憶部は、前記登録接触パターンに対応付けて、前記登録接触パターンの重心と、前記重心に対する前記登録外部機器の複数の頂点に対応する座標との相対座標とを記憶する、請求項１または請求項２に記載の表示装置。
【請求項４】
前記制御部は、前記登録接触パターンの中に前記検出接触パターンと一致する接触パターンが存在するか否かを判定し、前記検出接触パターンと一致する接触パターンが存在すると判定した場合、一致した前記登録接触パターンに対応する領域を前記接触無効領域として設定する、請求項１から請求項３のいずれか１項に記載の表示装置。
【請求項５】
前記制御部は、前記接触無効領域の周りに前記外部機器の移動を検知するための移動検知領域を設定し、
前記検出部が前記移動検知領域において前記外部機器の前記表示面への接触を検知した場合、前記制御部は、前記外部機器が移動を完了した位置において前記接触無効領域を再設定する、請求項１から請求項４のいずれか１項に記載の表示装置。
【請求項６】
前記検出部が前記移動検知領域において前記外部機器の前記表示面への接触を検知した後に、前記検出部が前記外部機器の接触を検出している検出位置が変化しなくなった際に、前記制御部は、前記検出位置において前記接触無効領域を再設定する、請求項５に記載の表示装置。
【請求項７】
前記制御部は、前記登録接触パターンと前記検出接触パターンとの傾きに応じて、前記接触無効領域を設定する、請求項１から請求項６のいずれか１項に記載の表示装置。
【請求項８】
表示装置と、
前記表示装置に接続される外部機器と
を備え、
前記表示装置は、
表示面を有する表示部と、
前記表示面に対する外部機器の接触を検出する検出部と、
予め登録された登録外部機器のうち前記表示面へ接触している接触点を示す登録接触パターンを記憶する記憶部と、
前記表示部と、前記検出部と、前記記憶部とを制御する制御部と
を有し、
前記表示面に前記外部機器が載置されたことを前記検出部が検出した際、前記制御部は、前記検出部が検出した前記外部機器の検出接触パターンと、前記登録接触パターンとに基づいて、前記表示面への接触の検出を無効にする接触無効領域を前記検出部に設定する、表示システム。
【請求項９】
前記外部機器は、前記検出部によって支持される支持部を有し、
前記支持部には前記検出部の検出を補助する検出補助部材が取り付けられている、請求項８に記載の表示システム。
【請求項１０】
前記支持部にはゴムよりも摩擦係数の小さい部材が取り付けられている、請求項９に記載の表示システム。
【請求項１１】
表示面を有する表示部と、前記表示面に対する外部機器の接触を検出する検出部と、予め登録された登録外部機器のうち前記表示面へ接触している接触点を示す登録接触パターンを記憶する記憶部と、前記表示部、前記検出部および前記記憶部を制御する制御部とを備える表示装置を用意することと、
前記検出部が前記表示面に前記外部機器が載置されたことを検出した際、前記制御部は、前記検出部が検出した外部機器の検出接触パターンと、前記登録接触パターンとに基づいて、前記表示面への接触の検出を無効にする接触無効領域を設定することと
を包含する、表示方法。
【発明の詳細な説明】
【技術分野】
【０００１】
本発明は、表示装置、表示システムおよび表示方法に関する。
【背景技術】
【０００２】
特許文献１に記載された画像表示装置は、画像を表示する表示部と、表示部の表示画面上に配置されたタッチ検出部と、外部機器（例えば、キーボード）を接続可能なＩＦ部とを備える。表示部とタッチ検出部とはタッチパネルディスプレーを構成する。
【０００３】
画像表示装置は、ＩＦ部に外部装置が接続されたことを検出すると、タッチ検出部の上にタッチ無効領域を確保する。タッチ無効領域は、外部装置を載置するための領域である。そして、タッチ無効領域では、タッチ操作が無効にされる。その結果、ユーザーは、外部装置を画像表示装置に接続し、外部装置をタッチパネルディスプレー上に置いて操作することができる。
【先行技術文献】
【特許文献】
【０００４】
【特許文献１】特開２０１５−３２２０８号公報
【発明の概要】
【発明が解決しようとする課題】
【０００５】
しかしながら、特許文献１に記載された画像表示装置では、タッチ無効領域が固定されるため、外部機器の配置の自由度が低かった。
【０００６】
本発明は上記課題に鑑みてなされたものであり、その目的は外部機器の配置の自由度を向上できる表示装置、表示システムおよび表示方法を提供することにある。
【課題を解決するための手段】
【０００７】
本発明に係る表示装置は、表示部と、検出部と、記憶部と、制御部とを備える。前記表示部は、表示面を有する。前記検出部は、前記表示面に対する外部機器の接触を検出する。前記記憶部は、予め登録された登録外部機器のうち前記表示面へ接触している接触点を示す登録接触パターンを記憶する。前記制御部は、前記表示部と、前記検出部と、前記記憶部とを制御する。前記表示面に前記外部機器が載置されたことを前記検出部が検出した際、前記制御部は、前記検出部が検出した外部機器のうち前記表示面へ接触している接触点を示す検出接触パターンと、前記登録接触パターンとに基づいて、前記表示面への接触の検出を無効にする接触無効領域を前記検出部に設定する。
【０００８】
本発明に係る表示システムは、表示装置と、外部機器とを備える。前記外部機器は、前記表示装置に接続される。前記表示装置は、表示部と、検出部と、記憶部と、制御部とを有する。前記表示部は、表示面を有する。前記検出部は、前記表示面に対する外部機器の接触を検出する。前記記憶部は、予め登録された登録外部機器のうち前記表示面へ接触している接触点を示す登録接触パターンを記憶する。前記制御部は、前記表示部と、前記検出部と、前記記憶部とを制御する。前記表示面に前記外部機器が載置されたことを前記検出部が検出した際、前記制御部は、前記検出部が検出した前記外部機器の検出接触パターンと、前記登録接触パターンとに基づいて、前記表示面への接触の検出を無効にする接触無効領域を前記検出部に設定する。
【０００９】
本発明に係る表示方法は、表示面を有する表示部と、前記表示面に対する外部機器の接触を検出する検出部と、予め登録された登録外部機器のうち前記表示面へ接触している接触点を示す登録接触パターンを記憶する記憶部と、前記表示部、前記検出部および前記記憶部を制御する制御部とを備える表示装置を用意することと、前記検出部が前記表示面に外部機器が載置されたことを検出した際、前記制御部は、前記検出部が検出した外部機器の検出接触パターンと、前記登録接触パターンとに基づいて、前記表示面への接触の検出を無効にする接触無効領域を設定することとを包含する。
【発明の効果】
【００１０】
本発明よれば、外部機器の配置の自由度を向上できる。
【図面の簡単な説明】
【００１１】
【図１】本発明の実施形態に係る表示システムのブロック図である。
【図２】（ａ）は、外部機器を示す模式図である。（ｂ）は、表示部を示す模式図である。
【図３】本発明の実施形態に係る表示方法の登録接触パターンの登録方法を示すフローチャートである。
【図４】本発明の実施形態に係る表示方法の接触無効領域の設定方法を示すフローチャートである。
【図５】（ａ）および（ｂ）は、表示部を示す模式図である。
【図６】本発明の実施形態に係る表示方法の接触無効領域の再設定方法を示すフローチャートである。
【図７】表示部を示す模式図である。
【図８】（ａ）および（ｂ）は、表示部を示す模式図である。
【図９】（ａ）および（ｂ）は、外部機器を示す模式図である。
【発明を実施するための形態】
【００１２】
以下、本発明の実施形態について、図面を参照しながら説明する。なお、図中、同一または相当部分については同一の参照符号を付して説明を繰り返さない。
【００１３】
図１および図２を参照して本発明に係る表示システム１００の実施形態を説明する。図１は、本発明の実施形態に係る表示システム１００のブロック図である。図２（ａ）は、外部機器１１０を示す模式図である。図２（ｂ）は、表示部２０を示す模式図である。
【００１４】
図１に示すように、表示システム１００は、表示装置１０と、外部機器１１０とを備える。
【００１５】
表示装置１０は、例えば、タッチスクリーンである。表示装置１０は、例えば、テーブル状である。
【００１６】
外部機器１１０は、例えば、キーボードである。外部機器１１０は、表示装置１０よりも小さい。外部機器１１０は、表示装置１０に接続されている。外部機器１１０は、有線で表示装置１０に接続されてもよいし、無線で表示装置１０に接続されてもよい。図２（ａ）に示すように、外部機器１１０は、支持部１０１と、支持部１０２と、支持部１０３と、支持部１０４とを有する。外部機器１１０を表示部２０の表示面２２に載置した際、支持部１０１と、支持部１０２と、支持部１０３と、支持部１０４とは、検出部３０によって支持される。
【００１７】
表示装置１０は、表示部２０と、検出部３０と、記憶部４０と、制御部５０とを有する。
【００１８】
表示部２０は、表示面２２を有する。表示部２０は、画像を表示している。表示部２０は、例えば、液晶パネルである。
【００１９】
検出部３０は、表示面２２に対する被検出物（外部機器１１０）の接触を検出する。検出部３０は、例えば、タッチセンサーである。タッチセンサーの方式は、例えば、静電容量方式または抵抗膜方式である。
【００２０】
記憶部４０は、例えば、ＲＯＭ（Ｒｅａｄ  Ｏｎｌｙ  Ｍｅｍｏｒｙ）およびＲＡＭ（Ｒａｎｄｏｍ  Ａｃｃｅｓｓ  Ｍｅｍｏｒｙ）である。記憶部４０は、登録接触パターンを記憶する。登録接触パターンは、予め登録された登録外部機器１１２のうち表示面２２への接触している接触点を示す接触パターンである。記憶部４０には、複数の登録接触パターンが記憶されている。
【００２１】
制御部５０は、表示部２０と、検出部３０と、記憶部４０とを制御する。制御部５０は、例えば、ＣＰＵ（Ｃｅｎｔｒａｌ  Ｐｒｏｃｅｓｓｉｎｇ  Ｕｎｉｔ）である。制御部５０は、例えば、ユーザーのタッチに応じて表示画像を変更する。
【００２２】
支持部１０１〜１０４が表示面２２に接触することによって、検出部３０が接触点１２１〜接触点１２４を検出し、表示面２２に外部機器１１０が載置されたことを検出する。そして、表示面２２に外部機器１１０が載置されたことを検出部３０が検出した際、制御部５０は、検出接触パターンと、登録接触パターンとに基づいて、接触無効領域を検出部３０に設定する。登録接触パターンは、予め登録された登録外部機器１１２のうち表示面２２への接触している接触点を示す接触パターンである。検出接触パターンは、検出部３０が検出した外部機器１１０のうち表示面２２への接触している接触点を示す接触パターンである。接触無効領域は、表示面２２への検出を無効にする領域である。詳しくは、表示面２２に外部機器１１０が載置されたことを検出部３０が検出した際、制御部５０は、登録接触パターンの中に検出接触パターンと一致する接触パターンが存在するか否かを判定する。そして、制御部５０は、検出接触パターンと一致する接触パターンが存在すると判定した場合、一致した登録接触パターンに対応する領域を接触無効領域として設定する。
【００２３】
以上、図１および図２を参照して説明したように、表示装置１０では、表示面２２に外部機器１１０が載置されたことを検出部３０が検出した際、制御部５０は、検出接触パターンと、登録接触パターンとに基づいて、接触無効領域を検出部３０に設定する。したがって、表示面２２に載置した外部機器１１０の配置に応じて接触無効領域を検出部３０に設定することができる。その結果、外部機器１１０の配置の自由度を向上できる。接触検知領域以外の領域は通常通りタッチ入力可能である。一方、接触無効領域は、タッチ入力不可である。したがって、外部機器１１０による接触の誤検知を抑制することができる。
【００２４】
図１〜図５を参照して本発明に係る表示システム１００の実施形態をさらに説明する。図３は、本発明の実施形態に係る表示方法の登録接触パターン１２０の登録方法を示すフローチャートである。図４は、本発明の実施形態に係る表示方法の接触無効領域の設定方法を示すフローチャートである。図５（ａ）および図５（ｂ）は、表示部２０を示す模式図である。
【００２５】
まず、図１〜図３を参照して本発明に係る表示方法の登録接触パターン１２０の登録方法について説明する。図３に示すステップＳ１０２〜ステップＳ１１２の処理が実行されることによって登録接触パターン１２０の登録処理が行われる。
【００２６】
ステップＳ１０２：キーボード機器をタッチスクリーンに置き、「認識キー」を押下し認識を開始する。すなわち、図２（ｂ）に示すように、登録したい登録外部機器１１２を表示部２０に置く。そして、認識キーを押下し認識を開始する。認識キーは、例えば、表示面２２上にＵＩ（Ｕｓｅｒ  Ｉｎｔｅｒｆａｃｅ）としてソフトキーとして設けられてもよいし、タッチスクリーンの端または側面にハードキーとして設けられてもよい。処理は、ステップＳ１０４に進む。
【００２７】
ステップＳ１０４：制御部５０は、キーボード機器の接触パターンを認識する。すなわち、図２（ｂ）に示すように、制御部５０は、登録外部機器１１２の表示面２２への接触パターンを認識する。詳しくは、制御部５０は、登録外部機器１１２の表示面２２への接触パターンを認識する。例えば、図２（ｂ）に示すように、制御部５０は、接触点１２１と、接触点１２２と、接触点１２３と、接触点１２４とを登録接触パターン１２０として認識する。接触点１２１と、接触点１２２と、接触点１２３と、接触点１２４とは、それぞれ、支持部１０１と、支持部１０２と、支持部１０３と、支持部１０４とが表示面２２と接触する点である。処理は、ステップＳ１０６に進む。
【００２８】
ステップＳ１０６：制御部５０は、角度まで判断できる情報が得られたか否かを判定する。角度とは、例えば、検出部３０のＸ軸Ｄ１と、接触パターンの延びる方向との成す角度である。例えば、図２（ｂ）に示す状態では、登録接触パターン１２０延びる方向Ｄ２は、検出部３０のＸ軸Ｄ１に対して平行であるため、角度は０度である。制御部５０は、例えば、接触パターンに、接触点が３点以上あるか否かによって、角度まで判断できる情報が得られたか否かを判定する。制御部５０が角度まで判断できる情報が得らなかったと判定した場合（ステップＳ１０６：Ｎｏ）、処置はステップＳ１１２に進む。制御部５０が角度まで判断できる情報が得られたと判定した場合（ステップＳ１０６：Ｙｅｓ）、処理はステップＳ１０８に進む。
【００２９】
ステップＳ１０８：ユーザーがキーボード機器の４隅の位置をタッチで指定する。詳しくは、図２（ｂ）に示すように、ユーザーは、登録外部機器１１２の頂点１３１に対応する表示面２２の位置と、頂点１３２に対応する表示面２２の位置と、頂点１３３に対応する表示面２２の位置と、頂点１３４に対応する表示面２２の位置とをタッチする。ユーザーによって、頂点１３１に対応する表示面２２の位置と、頂点１３２に対応する表示面２２の位置と、頂点１３３に対応する表示面２２の位置と、頂点１３４に対応する表示面２２の位置とがタッチされると、検出部３０は、頂点１３１の座標と、頂点１３２の座標と、頂点１３３の座標と、頂点１３４の座標とを検出する。そして、制御部５０が、検出部３０が検出した頂点１３１の座標と、頂点１３２の座標と、頂点１３３の座標と、頂点１３４の座標とを記憶部４０に記憶させる。処理は、ステップＳ１１０に進む。
【００３０】
ステップＳ１１０：制御部５０は、接触パターンの重心Ｇ１と４隅の相対座標を計算する。詳しくは、制御部５０は、接触点１２１の座標と、接触点１２２の座標と、接触点１２３の座標と、接触点１２４の座標との平均を算出することによって重心Ｇ１の座標を算出する。制御部５０は、重心Ｇ１の座標を記憶部４０に記憶させる。そして、制御部５０は、重心Ｇ１に対する接触点１２１〜１２４の相対座標をそれぞれ算出する。制御部５０は、算出した相対座標を記憶部４０に記憶させる。処理は、終了する。
【００３１】
ステップＳ１１２：ユーザーがタッチスクリーンで検知できる素子を支持部の下面に貼り付ける。すなわち、ユーザーは、支持部１０１の下面と、支持部１０２の下面と、支持部１０３の下面と、支持部１０４の下面とに検出補助部材を取り付ける。検出補助部材は、例えば、導電性を有するフッ素含有樹脂である。検出補助部材１８０は、例えば、テフロン（登録商標）にカーボンナノチューブのような添加剤を加えることによって作製された部材である。制御部５０は、支持部１０１と、支持部１０２と、支持部１０３と、支持部１０４とに検出補助部材を取り付ける旨の通知を表示部２０に表示して、ユーザーに通知するようにしてもよい。処理は、ステップＳ１０２に戻る。
【００３２】
以上、図１〜図３を参照して説明したように、図３に示すステップＳ１０２〜ステップＳ１１２の処理が実行されることによって登録接触パターン１２０の登録処理が行われる。詳しくは、登録処理を行うことによって、制御部５０は登録接触パターン１２０に対応付けて、登録接触パターン１２０の重心Ｇ１と、重心Ｇ１に対する登録外部機器の複数の頂点（頂点１３１と、頂点１３２と、頂点１３３と、頂点１３４）の相対座標とを記憶部４０に記憶させる。本明細書において、登録処理が行われた外部機器１１０を、登録外部機器１１２と記載することがある。また、本明細書において、登録外部機器１１２の接触パターンを、登録接触パターンと記載することがある。記憶部４０には、複数の登録接触パターン１２０が記憶されている。登録接触パターン１２０は、登録外部機器の表示面２２への接触している点を示す接触点を少なくとも３点以上含むことが好ましい。
【００３３】
続いて、図１、図４および図５を参照して本発明に係る表示方法の接触無効領域１６０の設定方法について説明する。図４に示すステップＳ２０２〜ステップＳ２１４の処理が実行されることによって接触無効領域１６０の設定が行われる。
【００３４】
ステップＳ２０２：ユーザーは、「使用キー」を押下する。使用キーは、例えば、表示面２２上にＵＩ（Ｕｓｅｒ  Ｉｎｔｅｒｆａｃｅ）としてソフトキーとして設けられてもよいし、タッチスクリーンの端または側面にハードキーとして設けられてもよい。処理は、ステップＳ２０４に進む。
【００３５】
ステップＳ２０４：タッチによる画面の操作が無効になりキーボード機器の認識モードになる。処理は、ステップＳ２０６に進む。
【００３６】
ステップＳ２０６：制御部５０は、所定時間経過したか、または、認識できたかを判定する。すなわち、「使用キー」を押してから所定時間経過したか、または、図５（ａ）に示すように、検出部３０が外部機器１１４の接触パターンとして接触点１４１〜１４４を検出できたかを判定する。所定時間は、例えば、３秒である。「使用キー」を押してから所定時間経過した場合（ステップＳ２０６：所定時間経過）、処理はステップＳ２０２に戻る。接触パターンを認識できた場合（ステップＳ２０６：認識できた）、処理は、ステップＳ２０８に進む。
【００３７】
ステップＳ２０８：認識パターンからキーボード機器の個体を識別する。詳しくは、制御部５０は、ステップＳ２０６において検出部３０が検出した接触パターン（検出接触パターン１４０）が、登録接触パターン１２０のいずれに該当するかを識別する。処理は、ステップＳ２１０に進む。
【００３８】
ステップＳ２１０：制御部５０は、重心Ｇ２の座標と検出接触パターン１４０の傾きとからキーボード機器の４隅を算出する。詳しくは、制御部５０は、接触点１４１の座標と、接触点１４２の座標と、接触点１４３の座標と、接触点１４４の座標との平均を算出することによって重心Ｇ２の座標を算出する。また、制御部５０は、検出接触パターン１４０の角度θを算出する。角度θは、検出部３０のＸ軸座標と、接触点１４１と接触点１４２とを結ぶ線分との成す角度である。本実施形態では、角度θは２０度である。したがって、登録接触パターン１２０と検出接触パターン１４０の傾きは２０度である。制御部５０は、登録接触パターン１２０の重心Ｇ１を重心Ｇ２の座標に重ね合わせ、傾き２０度だけ回転させることによって、頂点１５１の座標と、頂点１５２の座標と、頂点１５３の座標と、頂点１５４の座標とを算出する。処理は、ステップＳ２１２に進む。
【００３９】
ステップＳ２１２：制御部５０は、キーボード機器の４隅内部の領域のタッチ検知を無効化し、キーボード機器の外周の周りをキーボード移動検知領域に設定する。すなわち、図５（ｂ）に示すように、制御部５０は、接触無効領域１６０を設定する。接触無効領域１６０は、表示面２２への接触の検出を無効にする領域である。接触無効領域１６０は、ステップＳ２１０において制御部５０によって算出された頂点１５１と、頂点１５２と、頂点１５３と、頂点１５４とによって規定される領域である。また、制御部５０は、接触無効領域１６０の外周の周りを移動検知領域１７０として設定する。移動検知領域１７０は、外部機器１１０の移動を検知するための領域である。接触無効領域１６０の外周から移動検知領域１７０の外周までの距離は、例えば、１ｃｍから２ｃｍに設定される。処理は、ステップＳ２１４に進む。
【００４０】
ステップＳ２１４：図５（ｂ）に示すように、制御部５０は、タッチ無効領域をマスクまたは矩形でスクリーンに表し、タッチによる画面操作を有効にする。処理は、終了する。
【００４１】
以上、図１〜図５を参照して説明したように、表示面２２に外部機器１１０が載置されたことを検出部３０が検出した際、制御部５０は、検出接触パターン１４０と、登録接触パターン１２０とに基づいて、表示面２２への接触の検出を無効にする接触無効領域１６０を検出部３０に設定する。したがって、表示面２２に載置した外部機器１１０の配置に応じて接触無効領域１６０を検出部３０に設定することができる。その結果、外部機器１１４の配置の自由度を向上できる。
【００４２】
また、登録接触パターン１２０は、接触点を少なくとも３点以上含むことが好ましい。したがって、登録外部機器１１２が登録時に検出部３０のＸ軸に対してどの程度傾いているかを算出することができる。
【００４３】
また、記憶部４０は、登録接触パターン１２０に対応付けて、登録接触パターン１２０の重心Ｇ１と、重心Ｇ１に対する登録外部機器１１２の複数の頂点１３１〜１３４の相対座標とを記憶する。したがって、表示部２０に載置された外部機器１１４の接触点１４１〜１４４に基づいて、制御部５０は、外部機器１１４の頂点１５１〜１５４の座標を算出することができる。
【００４４】
また、制御部５０は、登録接触パターン１２０の中に検出接触パターン１４０と一致する接触パターンが存在するか否かを判定する。そして、検出接触パターン１４０と一致する接触パターンが存在すると判定した場合、一致した登録接触パターン１２０に対応する領域を接触無効領域１６０として設定する。したがって、制御部５０は、外部機器１１４の種類に応じて、接触無効領域１６０を設定することができる。
【００４５】
また、制御部５０は、登録接触パターン１２０と検出接触パターン１４０との傾きに応じて、接触無効領域１６０を設定する。したがって、外部機器１１０が傾いて配置された場合であっても、接触無効領域１６０を設定することができる。
【００４６】
続いて、図１、図６〜図８を参照して本発明の実施形態に係る表示方法の接触無効領域１６０の再設定方法について説明する。図６は、本発明の実施形態に係る表示方法の接触無効領域１６０の再設定方法を示すフローチャートである。図６において、外部機器１１０が移動時である。図７および図８（ａ）および（ｂ）は、表示部２０を示す模式図である。図６に示すステップＳ３０２〜ステップＳ３１４の処理が実行されることによって接触無効領域１６０の再設定が行われる。
【００４７】
ステップＳ３０２：ユーザーがキーボード機器を移動する。すなわち、ユーザーが外部機器１１４を移動する。本実施形態の外部機器１１４の移動とは、外部機器１１４を持ち上げずにスライドさせて移動することを示す。すなわち、支持部１０１〜１０４は、接触点１４１〜接触点１４４において接触した状態で外部機器１１４は移動する。処理は、ステップＳ３０４に進む。
【００４８】
ステップＳ３０４：検出部３０がキーボード移動検知領域でタッチを検知する。すなわち、図７に示した状態から外部機器１１４を移動させると、図８（ａ）に示すように、移動検知領域１７０において、検出部３０が接触点１４１と、接触点１４２と、接触点１４４とが重なる。処理は、ステップＳ３０６に進む。
【００４９】
ステップＳ３０６：タッチ無効領域の領域表示が消え、タッチによる画面の操作が無効になりキーボード機器の認識モードになる。すなわち、制御部５０は、接触無効領域１６０の領域表示を消すように表示部２０を制御する。処理は、ステップＳ３０８に進む。
【００５０】
ステップＳ３０８：制御部５０は、外部機器１１０の移動が止まったか否を判定する。例えば、制御部５０は、検出部３０が検出している検出位置（接触点１４１〜１４４の座標）が変化しなくなった際、移動が止まったと判定する。制御部５０が、外部機器１１０の移動が止まっていないと判定した場合（ステップＳ３０８：Ｎｏ）、処理は、ステップＳ３０８に戻る。制御部５０が、外部機器１１０の移動が止まったと判定した場合（ステップＳ３０８：Ｙｅｓ）、処理は、ステップＳ３１０に進む。
【００５１】
ステップＳ３１０：制御部５０は、重心Ｇ２の座標と検出接触パターン１４０の傾きとからキーボード機器の４隅を算出する。外部機器１１０が移動を完了した位置において、図４のステップＳ２１０と同様の処理が行われる。処理は、ステップＳ３１２に進む。
【００５２】
ステップＳ３１２：制御部５０は、キーボード機器の４隅内部の領域のタッチ検知を無効にし、キーボード機器の外周の周りをキーボード移動検知領域に設定する。外部機器１１０が移動を完了した位置において、図４のステップＳ２１２と同様の処理が行われ、制御部５０は接触無効領域１６０と移動検知領域１７０とを再設定する。より詳しくは、検出部３０が移動検知領域１７０において外部機器１１０の表示面２２への接触を検知した後に、検出部３０が外部機器１１０の接触を検出している検出位置が変化しなくなった際に、制御部５０は、検出位置において接触無効領域１６０を再設定する。処理は、ステップＳ３１４に進む。
【００５３】
ステップＳ３１４：図８（ｂ）に示すように、制御部５０は、タッチ無効領域をマスクまたは矩形でスクリーンに表し、タッチによる画面操作を有効にする。処理は、終了する。
【００５４】
以上、図１、図６〜図８を参照して説明したように、制御部５０は、接触無効領域１６０の周りに移動検知領域１７０を設定する。検出部３０が移動検知領域１７０において外部機器１１４の表示面２２への接触を検知した場合、制御部５０は、外部機器１１４が移動を完了した位置において接触無効領域１６０を再設定する。したがって、外部機器１１４の移動先において、接触無効領域１６０を再設定することができる。
【００５５】
また、検出部３０が移動検知領域１７０において外部機器１１４の表示面２２への接触を検知した後に、検出部３０が外部機器１１４の接触を検出している検出位置が変化しなくなった際に、制御部５０は、検出位置において接触無効領域１６０を再設定する。したがって、外部機器１１４の移動が完了してから、接触無効領域１６０を再設定することができる。
【００５６】
図９（ａ）および図９（ｂ）を参照して、支持部１０１〜１０４に取り付ける部材について説明する。図９（ａ）および図９（ｂ）は、外部機器１１０を示す模式図である。
【００５７】
図９（ａ）に示すように、外部機器１１０は、支持部１０１と、支持部１０２と、支持部１０３と、支持部１０４とを有する。支持部１０１〜支持部１０４には、検出補助部材１８０が取り付けられている。検出補助部材１８０は、検出部３０の検出を補助する。タッチセンサーが静電容量式である場合、検出補助部材１８０は、導電性を有することが好ましい。検出補助部材１８０は、例えば、導電性を有するフッ素含有樹脂である。検出補助部材１８０は、例えば、テフロン（登録商標）にカーボンナノチューブのような添加剤を加えることによって作製された部材である。以上、図９（ａ）を参照して説明したように、支持部１０１〜支持部１０４には、検出補助部材１８０が取り付けられている。したがって、支持部１０１〜支持部１０４を検出部３０が検出できない場合であっても、検出補助部材１８０によって、支持部１０１〜支持部１０４を検出部３０に検出しやすくできる。
【００５８】
外部機器１１０に、支持部が５つ以上ある場合、複数の支持部のうちいくつかの支持部に対して検出部３０が検知しない部材を取り付けてもよい。図９（ｂ）に示すように、外部機器１１０は、支持部１０１と、支持部１０２と、支持部１０３と、支持部１０４と、支持部１０５と、支持部１０６とを有する。支持部１０１と、支持部１０２と、支持部１０３と、支持部１０４とには、円滑性を良くする部材１８１が取付けられている。部材１８１は、ゴムよりも摩擦係数が小さい。部材１８１は、例えば、導電性を有するフッ素含有樹脂である。部材１８１よって、外部機器１１０を表示部２０に載置してスライドさせて移動する際、スムーズに移動させることができる。また、支持部１０５と、支持部１０６とには、検出部３０によって検知不能な部材１８２が取り付けられている。タッチセンサーが静電容量式である場合、部材１８２は、例えば、導電性を有さないことが好ましい。部材１８２は、例えば、導電性を有さないフッ素含有樹脂である。フッ素含有樹脂は、例えば、テフロン（登録商標）である。
【００５９】
以上、図９（ｂ）を参照して説明したように、支持部１０１と、支持部１０２と、支持部１０３と、支持部１０４とには、円滑性を良くする部材１８１が取付けられている。したがって、外部機器１１０を表示部２０に載置してスライドさせて移動する際に、滑りが悪い場合であっても、部材１８１によって、外部機器１１０をスムーズにスライドさせて移動させることができる。また、支持部１０５と、支持部１０６とには、検出部３０によって検知不能な部材１８２が取り付けられている。したがって、検出部３０が検出する接触パターンをシンプルにすることができる。その結果、登録接触パターン１２０と検出接触パターン１４０との照合が容易に行うことができる。このように、支持部に取り付ける部材を、円滑性を良くする部材１８１と、検知不能な部材１８２とを組み合わせることによって、登録接触パターン１２０と検出接触パターン１４０との照合の容易さと、外部機器１１０の円滑な移動とを両立させることができる。
【００６０】
以上、図面（図１〜図９）を参照しながら本発明の実施形態を説明した。但し、本発明は、上記の実施形態に限られるものではなく、その要旨を逸脱しない範囲で種々の態様において実施することが可能である（例えば、下記に示す（１）〜（３））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００６１】
（１）図１〜図９を参照して説明したように、接触無効領域１６０は、頂点１５１と、頂点１５２と、頂点１５３と、頂点１５４とによって規定される領域であったが、本発明はこれに限定されない。例えば、接触無効領域１６０は、接触点１４１と、接触点１４２と、接触点１４３と、接触点１４４とによって規定される領域であってもよい。
【００６２】
（２）図１〜図９を参照して説明したように、接触無効領域１６０は、マスクまたは矩形で表示面２２に表示されていたが、本発明はこれに限定されない。例えば、接触無効領域１６０は、表示面２２に表示されなくてもよい。
【００６３】
（３）図１〜図９を参照して説明したように、外部機器１１０は、キーボードであったが、本発明はこれに限定されない。例えば、マウスまたはスピーカーのような電子機器であってもよい。
【符号の説明】
【００６４】
１０      表示装置
２０      表示部
２２      表示面
３０      検出部
４０      記憶部
５０      制御部
１００    表示システム
１０１、１０２、１０３、１０４、１０５、１０６    支持部
１１０    外部機器
１１２    登録外部機器
１１４    外部機器
１２０    登録接触パターン
１２１、１２２、１２３、１２４    接触点
１３１、１３２、１３３、１３４    頂点
１４０    検出接触パターン
１４１、１４２、１４３、１４４    接触点
１５１、１５２、１５３、１５４    頂点
１６０    接触無効領域
１７０    移動検知領域
１８０    検出補助部材
１８２    部材
Ｇ１      重心
Ｇ２      重心
θ        角度
【図１】
2019016036.tif 000003
【図２】
2019016036.tif 000004
【図３】
2019016036.tif 000005
【図４】
2019016036.tif 000006
【図５】
2019016036.tif 000007
【図６】
2019016036.tif 000008
【図７】
2019016036.tif 000009
【図８】
2019016036.tif 000010
【図９】
2019016036.tif 000011